(57)【要約】      （修正有）【課題】一般の戸別住宅に適した地盤の液状化防止用地中壁を提供する。【解決手段】軟弱地盤にある家屋建築部分の地表面から地中に向かって造成された連続地中壁１である。この連続地中壁は、家屋建築部分の間仕切りに沿って、その直下に設けられている。または、この連続地中壁が家屋建築部分の対角線に沿って、その直下にＸ字状に設けられており、その連続地中壁の上に全面を覆うコンクリート基礎が敷設されている。好ましくは、前記連続地中壁は、一部が重複する３連のソイルセメント柱を複数組み合わせたものである。【選択図】図１
0003175368.tif 000002
【実用新案登録請求の範囲】
【請求項１】
軟弱地盤（Ａ）にある家屋建築部分の地表面から地中に向かって造成された連続地中壁（１）であって、
この連続地中壁（１）が、家屋建築部分の間仕切りに沿って、その間仕切りの直下に設けられていること
を特徴とする連続地中壁。
【請求項２】
軟弱地盤（Ａ）にある家屋建築部分の地表面から地中に向かって造成された連続地中壁（１Ａ）であって、
この連続地中壁が家屋建築部分の対角線に沿って、その対角線の直下にＸ字状に設けられていること、その連続地中壁の上に全面を覆うコンクリート基礎（１２）が敷設されていること
を特徴とする連続地中壁。
【請求項３】
前記連続地中壁（１，１Ａ）が、一部が重複する３連のソイルセメント柱（１１）を複数組み合わせたものである請求項１または２記載の連続地中壁。
【請求項４】
前記３連のソイルセメント柱（１１）のうち、少なくとも１本には補強芯材（４）を設けている請求項１−３のいずれかに記載の連続地中壁。
【請求項５】
前記３連のソイルセメント柱（１１）のうち、少なくとも１本は深度がほかのものよりも深い柱（３４）である請求項１−４のいずれかに記載の連続地中壁。
【請求項６】
前記３連のソイルセメント柱（１１）のうち、少なくとも１本は直径がほかのものよりも大きい柱（３５）である請求項１−５のいずれかに記載の連続地中壁。
【考案の詳細な説明】
【技術分野】
【０００１】
本考案は地盤の液状化防止用地中壁に関する。
【背景技術】
【０００２】
東日本大震災が発生した時、地盤の弱い地域で液状化現象が起こり、多数の家屋が傾いたのはまだ記憶に新しい。地震時の地盤液状化を防止するとともに基礎の水平力抵抗力を増大させるため、従来、格子状地中壁を設けた基礎工法が知られている。たとえば特開昭６１−５１２５号や特開平１−２９０８２４号がある。
【考案の概要】
【考案が解決しようとする課題】
【０００３】
これらの従来技術では、明記はしていないが、その添付図面から見て大規模高層建造物を想定しているので、一般の戸別住宅に対する配慮が十分には見られない。
【０００４】
本考案は、上記従来技術を基礎としながら、一般の戸別住宅に適した地盤の液状化防止用地中壁を提供することを目的とする。
【課題を解決するための手段】
【０００５】
本考案は、第１の見地では、軟弱地盤Ａにある家屋建築部分の地表面から地中に向かって造成された連続地中壁１であって、この連続地中壁１が、家屋建築部分の間仕切りに沿って、その直下に設けられていることを特徴とする（請求項１）。
【０００６】
本考案は、第２の見地では、軟弱地盤Ａにある家屋建築部分の地表面から地中に向かって造成された連続地中壁１であって、この連続地中壁が家屋建築部分の対角線に沿って、その直下にＸ字状に設けられていること、その連続地中壁の上に全面を覆うコンクリート基礎が敷設されていることを特徴とする（請求項２）。
【０００７】
前記連続地中壁は、一部が重複する３連のソイルセメント柱を複数組み合わせたものであることが好ましい（請求項３）。
【０００８】
また、前記３連のソイルセメント柱のうち、少なくとも１本には補強芯材を設けたり（請求項４）、深度をほかのものよりも深くしたり（請求項５）、直径をほかのものよりも大きくしたり（請求項６）することができる。
【考案の効果】
【０００９】
前記請求項１による連続地中壁は、家屋建築部分の間仕切りに沿って、その直下に設けられているので、負荷が重点的にかかる部分を安定的に支持することができる。
【００１０】
前記請求項１による連続地中壁は、家屋建築部分の対角線に沿って、その直下にＸ字状に設けられており、その連続地中壁の上に全面を覆うコンクリート基礎が敷設されているので、負荷を分散させることができる。
【００１１】
前記請求項３による連続地中壁は、一部が重複する３連のソイルセメント柱を複数組み合わせたものであるので、連結強度が大きく土留効果に勝れると共に、止水性も極めて良好で水漏れ等を生じることがない。
【００１２】
前記請求項４〜６による連続地中壁は、それぞれ連続地中壁の強度を高め、家屋の安定支持に貢献する。
【図面の簡単な説明】
【００１３】
【図１】本考案の実施例１に係る連続地中壁の平面図である。
【図２】本考案の実施例１に係る連続地中壁を一部拡大した（ａ）平面図及び（ｂ）断面図である。
【図３】本考案の実施例１（変形例）に係る連続地中壁を一部拡大した（ａ）平面図及び（ｂ）断面図である。
【図４】（ａ）〜（ｄ）は、本考案の連続地中壁を形成する工程を示す斜視図である。
【図５】本考案の実施例２に係る連続地中壁の平面図である。
【図６】本考案の実施例２に係る連続地中壁を一部拡大した断面図である。
【実施例１】
【００１４】
図１、図２は、この考案に係る液状化防止地中壁１の第１実施例を示している。図において、軟弱地盤Ａにある家屋建築部分の地表面から地中に向かって連続地中壁１が造成されている。この連続地中壁１は、家屋の間仕切りに沿って、その直下に設けられている。
【００１５】
連続地中壁１は、例えば特開平９−２７９６２４で知られるように、一度に３本が重複連接して造成される。この方法においては３本の撹拌ヘッド２（２１、２２、２３）を備えたベースマシン（図示せず）を用いる。撹拌ヘッド２は、ベースマシン本体のリーダーマストに交換可能に取り付けられている。
【００１６】
ただし、本考案で使用する撹拌ヘッドでは、特開平９−２７９６２４と異なり、左右の撹拌ヘッドと中央の撹拌ヘッドは、図４に示すように、先端長さをそろえ、互いに噛み合わす機構を採用している。特開平９−２７９６２４の機構では、施工中に撹拌ヘッドを前後左右に動かせないので、礫石の食い込みを防ぐにはヘッド間隔を大きく取らなければならなかった。本考案の実施例ではベースマシンに油圧ショベルを使用するので、施工中に礫石に当たってもヘッドを前後左右に振ることにより、礫石をはねることができる。この機構により、土壌と固化剤スラリーの混合・撹拌作用が３軸一体となり、下記するソイルセメントの品質が大幅に向上した。
【００１７】
このベースマシンを使用して連続地中壁を構築するに当っては、まず、基準杭を建て込む位置にベースマシンを移動して、３本の撹拌ヘッド２１、２２、２３の垂直精度を管理しながら、図４（ｂ）（ｃ）に示すような一部が重複する３連の杭穴３（３１、３２、３３）を所要深さまで掘削する。杭穴の重複長さ（図４（ａ）のｔ）は、１４ｃｍ程度確保することが好ましい。深さの深い杭穴（図２（ｂ）の３４）または直径の大きな杭穴（図３（ｂ）の３５）を掘削するときは、必要に応じて撹拌ヘッドを変更または継ぎ足しながら掘削する。
【００１８】
連続地中壁１は軟弱地盤Ａを貫通し、少なくとも中間支持地盤Ｂまでは連続して造成される。一般の戸建て住宅の場合、３−５ｍ程度である。場所によっては中間支持地盤Ｂを貫通して深層支持地盤Ｃまで連続して造成されていてもよい。
【００１９】
所要深さの杭穴３１〜３５を掘削したあと、一部又は全部の撹拌ヘッド先端から上記杭穴３１〜３５内にセメントミルクを注入しながら撹拌ヘッドを引き上げることにより、図４（ｄ）に示すように、掘削土壌と混合したソイルセメント１１を充満させる。
【００２０】
そして、ベースマシンを移動させたあと、上記杭穴３１〜３３のうち、少なくとも１本に補強芯材４（図２）を建て込む。補強芯材としては、Ｈ形鋼などの形鋼、鋼管または鉄筋などで補強されたコンクリート板などを使用することができる。
【００２１】
上記ベースマシンにより新たな３連の杭穴３１〜３３を掘削する工程と、セメントミルクを注入してソイルセメント１１を充満させる工程、及び新たな補強芯材４を建て込む工程とを行い、これらの工程を所要回数繰り返すことにより、所期の連続地中壁列が構築される。
【００２２】
このようにして構築された連続地中壁列は、連結強度が大きく土留効果に勝れると共に、止水性も極めて良好で水漏れ等を生じることがない。したがって、軟弱地盤の液状化対策として最適である。
【実施例２】
【００２３】
図５、図６は、この考案に係る液状化防止地中壁の第２実施例を示している。
【００２４】
これらの図において、軟弱地盤Ａにある家屋建築部分の地表面から地中に向かって連続地中壁１Ａが造成されている。
【００２５】
第２実施例が第１実施例と異なるのは、この連続地中壁１Ａは、家屋の対角線に沿って、その直下にＸ字状に設けられていること、その連続地中壁の上に全面を覆うコンクリート基礎１２（いわゆるベタ基礎）が敷設されていることである。
【００２６】
その他の点は第１実施例と同様であるので、その詳細な説明は省略する。
【符号の説明】
【００２７】
１、１Ａ      連続地中壁
１１  ソイルセメント
１２     コンクリート基礎
２（２１、２２、２３）      撹拌ヘッド
３（３１-３５）      杭穴
４     補強芯材
Ａ     軟弱地盤
Ｂ     中間支持地盤
Ｃ     深層支持地盤
【先行技術文献】
【特許文献】
【００２８】
【特許文献１】特開昭６１−５１２５号
【特許文献２】特開平１−２９０８２４号
【図１】
0003175368.tif 000003
【図２】
0003175368.tif 000004
【図３】
0003175368.tif 000005
【図４】
0003175368.tif 000006
【図５】
0003175368.tif 000007
【図６】
0003175368.tif 000008